(57)【要約】【課題】台紙に前面パネルの一部を貼り加工して前面パネルを引き起こすことにより複数段の収納部を形成した容器において、前面パネルの切抜き加工を可能として、収納された商品の宣伝効果を向上させることができ、さらに、容器の組立てが容易な組立て容器を提供する。【解決手段】商品陳列容器５は、第１構成部１０と第２構成部５０とを有し、第１構成部１０は、背面部２０と、右側面部３０と、左側面部４０とを有し、第２構成部５０は、正面部６０と、上面部８０、８２と、第１背面部９０と、第２背面部９２と、連結部１００、１１０、１２０、１３０と、糊代部１０２、１１２、１２２、１３２とを有していて、右側面部３０の突状部３２、３４、３６が正面部６０の開口部６０ａ、６０ｂ、６０ｃに係止し、左側面部４０の突状部４２、４４、４６が正面部６０の開口部６０ａ、６０ｂ、６０ｃに係止する。【選択図】図７
0003166302.tif 000002
【実用新案登録請求の範囲】
【請求項１】
商品を陳列するための商品陳列容器であって、
１枚のシート状のブランクにより形成された第１構成部で、
右側面側の辺部と左側面側の辺部とが略平行に形成された背面部で、第２構成部の差込み片部を挿通するために開口又は切込みにより形成された差込み部を有する背面部と、
背面部の右側面側の辺部から折れ線を介して連設され、背面部とは反対側の辺部に第２構成部の正面部の開口部の右側面側の端部に係止するための突状部を有する右側面部と、
背面部の左側面側の辺部から折れ線を介して連設され、背面部とは反対側の辺部に第２構成部の正面部の開口部の左側面側の端部に係止するための突状部を有する左側面部と、を有する第１構成部と、
１枚のシート状のブランクにより形成された第２構成部で、
左右両側に間隔を介して設けられた縦部材と、一対の縦部材を連結して上下方向に間隔を介して設けられた複数の横部材とを有し、一対の縦部材と上下方向に隣接する横部材とで囲まれた開口部を有する正面部と、
該複数の横部材における各横部材の下辺から折れ線を介して連設された連設部材であって、各横部材の下辺から折れ線を介して連設された連結部と、連結部の該連結部が連設された横部材とは反対側の辺部から折れ線を介して連設され、第１構成部の背面部に接着された糊代部とを有する連設部材と、
正面部における一対の縦部材の上辺から折れ線を介して連設された上面部で、商品陳列容器を組み立てた状態では、正面側から背面側に向けて上方に傾斜した状態となる上面部と、
一対の上面部の正面部とは反対側の辺部から連設された第１背面当接部と、
第１背面当接部の下辺から折れ線を介して連設された第２背面当接部で、上端に第１構成部の背面部の差込み部に差し込むための差込み片部を有するとともに、下端に突状部を有する第２背面当接部で、第２構成部の展開状態において、一対の上面部における一方と他方の間の領域に形成された第２背面当接部と、を有し、
複数の横部材における下端位置の横部材以外の横部材から連設された連設部材は、第２構成部の展開状態において、一対の縦部材と上下方向に隣接する横部材とで囲まれた開口部の内側の領域に形成され、正面部における最上位置の横部材から折れ線を介して連設された連結部である最上位置連結部と、該最上位置連結部から折れ線を介して連設された糊代部との境界位置に、第２背面当接部の突状部を差し込むための第２差込み部を形成するための切込みが形成された第２構成部と、
を有し、
シート状の第１構成部とシート状の第２構成部とが糊代部を介して接着された状態の商品陳列容器を組み立てる場合には、正面部を第１構成部に対して正面側に引き出し、右側面部と左側面部とを背面部に対して折り曲げて右側面部の突状部と左側面部の突状部を正面部の開口部に係止させ、第２背面当接部の差込み片部を背面部の差込み部に差し込み、さらに、第２背面当接部の突状部を第２差込み部に差し込むことを特徴とする商品陳列容器。
【請求項２】
第２背面当接部における差込み片部は、第１背面当接部と第２背面当接部の境界位置に形成された略コ字状の切込みにより形成されていることを特徴とする請求項１に記載の商品陳列容器。
【請求項３】
右側面部の背面部とは反対側の辺部の下端位置には折れ線を介して突出片部が連設されるとともに、左側面部の背面部とは反対側の辺部の下端位置には折れ線を介して第２突出片部が連設され、商品陳列容器を組み立てた状態において、突出片部と第２突出片部とが正面部の縦部材の背面側の面に当接することを特徴とする請求項１又は２に記載の商品陳列容器。
【請求項４】
商品を陳列するための商品陳列容器であって、
１枚のシート状のブランクにより形成された第１構成部で、
右側面側の辺部と左側面側の辺部とが略平行に形成された背面部で、第２構成部の差込み片部を挿通するために開口又は切込みにより形成された差込み部を有する背面部と、
背面部の右側面側の辺部から折れ線を介して連設され、背面部とは反対側の辺部に第２構成部の正面部の開口部の右側面側の端部に係止するための突状部を有する右側面部と、  右側面部の背面部とは反対側の辺部の下端位置に折れ線を介して連設された突出片部と、
背面部の左側面側の辺部から折れ線を介して連設され、背面部とは反対側の辺部に第２構成部の正面部の開口部の左側面側の端部に係止するための突状部を有する左側面部と、
左側面部の背面部とは反対側の辺部の下端位置に折れ線を介して連設された第２突出片部を有する第１構成部と、
１枚のシート状のブランクにより形成された第２構成部で、
左右両側に間隔を介して設けられた縦部材と、一対の縦部材を連結して上下方向に間隔を介して設けられた複数の横部材とを有し、一対の縦部材と上下方向に隣接する横部材とで囲まれた開口部を有する正面部と、
該複数の横部材における各横部材の下辺から折れ線を介して連設された連設部材であって、各横部材の下辺から折れ線を介して連設された連結部と、連結部の該連結部が連設された横部材とは反対側の辺部から折れ線を介して連設され、第１構成部の背面部に接着された糊代部とを有する連設部材と、
正面部における一対の縦部材の上辺から折れ線を介して連設された上面部で、商品陳列容器を組み立てた状態では、正面側から背面側に向けて上方に傾斜した状態となる上面部と、
一対の上面部の正面部とは反対側の辺部から連設された第１背面当接部と、
第１背面当接部の下辺から折れ線を介して連設された第２背面当接部で、上端に第１構成部の背面部の差込み部に差し込むための差込み片部で第１背面当接部と第２背面当接部の境界位置に形成された略コ字状の切込みにより形成され差込み片部を有するとともに、下端に突状部を有する第２背面当接部で、第２構成部の展開状態において、一対の上面部における一方と他方の間の領域に形成された第２背面当接部と、を有し、
複数の横部材における下端位置の横部材以外の横部材から連設された連設部材は、第２構成部の展開状態において、一対の縦部材と上下方向に隣接する横部材とで囲まれた開口部の内側の領域に形成され、正面部における最上位置の横部材から折れ線を介して連設された連結部である最上位置連結部と、該最上位置連結部から折れ線を介して連設された糊代部との境界位置に、第２背面当接部の突状部を差し込むための第２差込み部を形成するための切込みが形成された第２構成部と、
を有し、
シート状の第１構成部とシート状の第２構成部とが糊代部を介して接着された状態の商品陳列容器を組み立てる場合には、正面部を第１構成部に対して正面側に引き出し、右側面部と左側面部とを背面部に対して折り曲げて右側面部の突状部と左側面部の突状部を正面部の開口部に係止させ、第２背面当接部の差込み片部を背面部の差込み部に差し込み、さらに、第２背面当接部の突状部を第２差込み部に差し込み、さらに、突出片部を正面部の一方の縦部材の背面側に当接させ、第２突出片部を正面部の他方の縦部材の背面側に当接させることを特徴とする商品陳列容器。
【考案の詳細な説明】
【技術分野】
【０００１】
本考案は、商品陳列容器に関するものであり、特に、台紙に前面パネルの一部を貼り加工して前面パネルを引き起こすことにより複数段の収納部を形成した容器に関するものである。
【背景技術】
【０００２】
従来より、商品を陳列するための容器として、台紙と前面パネルとを有し、台紙に前面パネルの一部を貼り加工して前面パネルを引き起こすことにより複数段の収納部を形成した容器として、特許文献１に示す吊下容器が存在する。
【０００３】
特許文献１に示す吊下容器においては、前面パネルの中央部の両側に側部が連設されるとともに、側部の中央部とは反対側に折込み部が連設され、一対の折込み部は、台紙の両側をコの字状に折り曲げることにより形成したコの字状の部分に差し込むことにより吊下容器の両サイドが形成される。また、中央部の上端から連設された上蓋部の左右のフラップ片と中央部の下端から連設された下蓋部の左右のフラップ片を側部の上下に接着させるようにになっている。
【先行技術文献】
【特許文献】
【０００４】
【特許文献１】実開平５−３４９６７号公報
【考案の概要】
【考案が解決しようとする課題】
【０００５】
しかし、上記特許文献１に記載の吊下容器によれば、上記のように、前面パネルの中央部の両側に側部が形成され、さらに折込部が形成された構成であるので、前面パネルをカットアウト、すなわち、切抜き加工することができないという問題があった。つまり、切抜き加工をすることにより収納された商品の宣伝効果を上げることができない。
【０００６】
また、上記特許文献１に記載の吊下容器によれば、台紙の両側をコの字状に折り曲げることによりコの字状の部分を形成し、側部を中央部に対して折り曲げ、さらに、折込み部を側部に対して折り曲げて、コの字状の部分に差し込むので、組立てが面倒であるという問題がある。また、中央部の上端から連設された上蓋部の左右のフラップ片と中央部の下端から連設された下蓋部の左右のフラップ片を側部の上下に接着させる必要があるので、接着工程が必要となり、その点でも組立てが面倒であるという問題がある。
【０００７】
そこで、本考案は、台紙に前面パネルの一部を貼り加工して前面パネルを引き起こすことにより複数段の収納部を形成した容器において、前面パネルの切抜き加工を可能として、収納された商品の宣伝効果を向上させることができ、さらに、容器の組立てが容易な商品陳列容器を提供することを目的とするものである。
【課題を解決するための手段】
【０００８】
本考案は上記問題点を解決するために創作されたものであって、第１には、商品を陳列するための商品陳列容器であって、１枚のシート状のブランクにより形成された第１構成部で、右側面側の辺部と左側面側の辺部とが略平行に形成された背面部で、第２構成部の差込み片部を挿通するために開口又は切込みにより形成された差込み部を有する背面部と、背面部の右側面側の辺部から折れ線を介して連設され、背面部とは反対側の辺部に第２構成部の正面部の開口部の右側面側の端部に係止するための突状部を有する右側面部と、背面部の左側面側の辺部から折れ線を介して連設され、背面部とは反対側の辺部に第２構成部の正面部の開口部の左側面側の端部に係止するための突状部を有する左側面部と、を有する第１構成部と、１枚のシート状のブランクにより形成された第２構成部で、左右両側に間隔を介して設けられた縦部材と、一対の縦部材を連結して上下方向に間隔を介して設けられた複数の横部材とを有し、一対の縦部材と上下方向に隣接する横部材とで囲まれた開口部を有する正面部と、該複数の横部材における各横部材の下辺から折れ線を介して連設された連設部材であって、各横部材の下辺から折れ線を介して連設された連結部と、連結部の該連結部が連設された横部材とは反対側の辺部から折れ線を介して連設され、第１構成部の背面部に接着された糊代部とを有する連設部材と、正面部における一対の縦部材の上辺から折れ線を介して連設された上面部で、商品陳列容器を組み立てた状態では、正面側から背面側に向けて上方に傾斜した状態となる上面部と、一対の上面部の正面部とは反対側の辺部から連設された第１背面当接部と、第１背面当接部の下辺から折れ線を介して連設された第２背面当接部で、上端に第１構成部の背面部の差込み部に差し込むための差込み片部を有するとともに、下端に突状部を有する第２背面当接部で、第２構成部の展開状態において、一対の上面部における一方と他方の間の領域に形成された第２背面当接部と、を有し、複数の横部材における下端位置の横部材以外の横部材から連設された連設部材は、第２構成部の展開状態において、一対の縦部材と上下方向に隣接する横部材とで囲まれた開口部の内側の領域に形成され、正面部における最上位置の横部材から折れ線を介して連設された連結部である最上位置連結部と、該最上位置連結部から折れ線を介して連設された糊代部との境界位置に、第２背面当接部の突状部を差し込むための第２差込み部を形成するための切込みが形成された第２構成部と、を有し、シート状の第１構成部とシート状の第２構成部とが糊代部を介して接着された状態の商品陳列容器を組み立てる場合には、正面部を第１構成部に対して正面側に引き出し、右側面部と左側面部とを背面部に対して折り曲げて右側面部の突状部と左側面部の突状部を正面部の開口部に係止させ、第２背面当接部の差込み片部を背面部の差込み部に差し込み、さらに、第２背面当接部の突状部を第２差込み部に差し込むことを特徴とする。
【０００９】
第１の構成においては、第２構成部の正面部における一対の縦部材と上下方向に隣接する横部材により囲まれた開口部の内側に収納部が形成され、連結部に商品を載置することにより商品を陳列することができる。
【００１０】
正面部の正面側の領域、特に、縦部材の領域を商品の広告表示領域として使用することができ、商品の宣伝効果を高めることができる。また、第１背面当接部の面も商品の広告表示領域として用いることができる。
【００１１】
また、正面部における一方の縦部材は右側面部から外側（右側面側）に突出し、他方の縦部材は左側面部から外側（左側面側）に突出しているので、一対の縦部材を切抜き加工（カットアウト）することができ、縦部材を切抜き加工することにより縦部材を購買者に印象付けることができて、商品の宣伝効果を高めることができる。
【００１２】
また、商品陳列容器の組立てに際して、右側面部と左側面部を正面部に係止させるとともに、第２背面当接部の差込み片部を背面部の差込み部に差し込み、第２背面当接部の突状部を第２差込み部に差し込むのみで商品陳列容器を立体形状に組み立てることができるので、極めて容易に組み立てることが可能となる。
【００１３】
また、第２には、上記第１の構成において、第２背面当接部における差込み片部は、第１背面当接部と第２背面当接部の境界位置に形成された略コ字状の切込みにより形成されていることを特徴とする。
【００１４】
また、第３には、上記第１又は第２の構成において、右側面部の背面部とは反対側の辺部の下端位置には折れ線を介して突出片部が連設されるとともに、左側面部の背面部とは反対側の辺部の下端位置には折れ線を介して第２突出片部が連設され、商品陳列容器を組み立てた状態において、突出片部と第２突出片部とが正面部の縦部材の背面側の面に当接することを特徴とする。よって、商品陳列容器の組立て状態において、突出片部により右側面部の正面部に対する固定状態を安定させることができ、また、第２突出片部により左側面部の正面部に対する固定状態を安定させることができる。
【００１５】
また、第４には、商品を陳列するための商品陳列容器であって、１枚のシート状のブランクにより形成された第１構成部で、右側面側の辺部と左側面側の辺部とが略平行に形成された背面部で、第２構成部の差込み片部を挿通するために開口又は切込みにより形成された差込み部を有する背面部と、背面部の右側面側の辺部から折れ線を介して連設され、背面部とは反対側の辺部に第２構成部の正面部の開口部の右側面側の端部に係止するための突状部を有する右側面部と、右側面部の背面部とは反対側の辺部の下端位置に折れ線を介して連設された突出片部と、背面部の左側面側の辺部から折れ線を介して連設され、背面部とは反対側の辺部に第２構成部の正面部の開口部の左側面側の端部に係止するための突状部を有する左側面部と、左側面部の背面部とは反対側の辺部の下端位置に折れ線を介して連設された第２突出片部を有する第１構成部と、１枚のシート状のブランクにより形成された第２構成部で、左右両側に間隔を介して設けられた縦部材と、一対の縦部材を連結して上下方向に間隔を介して設けられた複数の横部材とを有し、一対の縦部材と上下方向に隣接する横部材とで囲まれた開口部を有する正面部と、該複数の横部材における各横部材の下辺から折れ線を介して連設された連設部材であって、各横部材の下辺から折れ線を介して連設された連結部と、連結部の該連結部が連設された横部材とは反対側の辺部から折れ線を介して連設され、第１構成部の背面部に接着された糊代部とを有する連設部材と、正面部における一対の縦部材の上辺から折れ線を介して連設された上面部で、商品陳列容器を組み立てた状態では、正面側から背面側に向けて上方に傾斜した状態となる上面部と、一対の上面部の正面部とは反対側の辺部から連設された第１背面当接部と、第１背面当接部の下辺から折れ線を介して連設された第２背面当接部で、上端に第１構成部の背面部の差込み部に差し込むための差込み片部で第１背面当接部と第２背面当接部の境界位置に形成された略コ字状の切込みにより形成され差込み片部を有するとともに、下端に突状部を有する第２背面当接部で、第２構成部の展開状態において、一対の上面部における一方と他方の間の領域に形成された第２背面当接部と、を有し、複数の横部材における下端位置の横部材以外の横部材から連設された連設部材は、第２構成部の展開状態において、一対の縦部材と上下方向に隣接する横部材とで囲まれた開口部の内側の領域に形成され、正面部における最上位置の横部材から折れ線を介して連設された連結部である最上位置連結部と、該最上位置連結部から折れ線を介して連設された糊代部との境界位置に、第２背面当接部の突状部を差し込むための第２差込み部を形成するための切込みが形成された第２構成部と、を有し、シート状の第１構成部とシート状の第２構成部とが糊代部を介して接着された状態の商品陳列容器を組み立てる場合には、正面部を第１構成部に対して正面側に引き出し、右側面部と左側面部とを背面部に対して折り曲げて右側面部の突状部と左側面部の突状部を正面部の開口部に係止させ、第２背面当接部の差込み片部を背面部の差込み部に差し込み、さらに、第２背面当接部の突状部を第２差込み部に差し込み、さらに、突出片部を正面部の一方の縦部材の背面側に当接させ、第２突出片部を正面部の他方の縦部材の背面側に当接させることを特徴とする。
【００１６】
第４の構成においては、第２構成部の正面部における一対の縦部材と上下方向に隣接する横部材により囲まれた開口部の内側に収納部が形成され、連結部に商品を載置することにより商品を陳列することができる。
【００１７】
正面部の正面側の領域、特に、縦部材の領域を商品の広告表示領域として使用することができ、商品の宣伝効果を高めることができる。また、第１背面当接部の面も商品の広告表示領域として用いることができる。
【００１８】
また、正面部における一方の縦部材は右側面部から外側（右側面側）に突出し、他方の縦部材は左側面部から外側（左側面側）に突出しているので、一対の縦部材を切抜き加工（カットアウト）することができ、縦部材を切抜き加工することにより縦部材を購買者に印象付けることができて、商品の宣伝効果を高めることができる。
【００１９】
また、商品陳列容器の組立てに際して、右側面部と左側面部を正面部に係止させるとともに、第２背面当接部の差込み片部を背面部の差込み部に差し込み、第２背面当接部の突状部を第２差込み部に差し込むのみで商品陳列容器を立体形状に組み立てることができるので、極めて容易に組み立てることが可能となる。
【００２０】
また、商品陳列容器の組立て状態において、突出片部により右側面部の正面部に対する固定状態を安定させることができ、また、第２突出片部により左側面部の正面部に対する固定状態を安定させることができる。
【考案の効果】
【００２１】
本考案に基づく商品陳列容器によれば、第２構成部の正面部における一対の縦部材と上下方向に隣接する横部材により囲まれた開口部の内側に収納部が形成され、連結部に商品を載置することにより商品を陳列することができる。
【００２２】
正面部の正面側の領域、特に、縦部材の領域を商品の広告表示領域として使用することができ、商品の宣伝効果を高めることができる。また、第１背面当接部の面も商品の広告表示領域として用いることができる。
【００２３】
また、正面部における一方の縦部材は右側面部から外側（右側面側）に突出し、他方の縦部材は左側面部から外側（左側面側）に突出しているので、一対の縦部材を切抜き加工（カットアウト）することができ、縦部材を切抜き加工することにより縦部材を購買者に印象付けることができて、商品の宣伝効果を高めることができる。
【００２４】
また、商品陳列容器の組立てに際して、右側面部と左側面部を正面部に係止させるとともに、第２背面当接部の差込み片部を背面部の差込み部に差し込み、第２背面当接部の突状部を第２差込み部に差し込むのみで商品陳列容器を立体形状に組み立てることができるので、極めて容易に組み立てることが可能となる。
【図面の簡単な説明】
【００２５】
【図１】本実施例の商品陳列容器の前方斜視図である。
【図２】本実施例の商品陳列容器の後方前方斜視図である。
【図３】本実施例の商品陳列容器を扁平状にした状態の正面図である。
【図４】本実施例の商品陳列容器を扁平状にした状態の背面図である。
【図５】第１構成部の展開図である。
【図６】第２構成部の展開図である。
【図７】本実施例の商品陳列容器の組立て工程を説明する前方斜視図である。
【図８】本実施例の商品陳列容器の組立て工程を説明する前方斜視図である。
【考案を実施するための形態】
【００２６】
本考案においては、台紙に前面パネルの一部を貼り加工して前面パネルを引き起こすことにより複数段の収納部を形成した容器において、前面パネルの切抜き加工を可能として、収納された商品の宣伝効果を向上させることができ、さらに、容器の組立てが容易な商品陳列容器を提供するという目的を以下のようにして実現した。
【００２７】
本考案に基づく商品陳列容器５は、吊下げ容器であり、図１〜図６に示すように構成され、第１構成部１０と、第１構成部１０に接着された第２構成部５０とを有し、畳まれた状態の商品陳列容器５を組み立てることにより複数（具体的には４つ）の収納空間を有する容器が構成される。
【００２８】
ここで、第１構成部１０は、背面部２０と、背面部２０の右側面側の辺部から折れ線を介して連設された右側面部３０と、突状部３８と、背面部２０の左側面側の辺部から折れ線を介して連設された左側面部４０と、突状部４８とを有している。第１構成部１０は、１枚のシート状のブランク（具体的には、段ボール製（例えば、薄型段ボール製）のブランク）により形成されている。
【００２９】
背面部２０は、縦長の略長方形状を呈し、上側の領域に四角形状の開口部（差込み部）２２を有している。開口部２２は、第２構成部５０の差込み片部９２ａを差し込むためのものである。また、背面部２０の上端領域の左右両側には、商品陳列容器５を吊り下げるための紐部材を通すための開口部２４ａ、２４ｂが形成されている。背面部２０の横方向の長さｈ０１は、正面部６０の開口部の横方向の幅と略同一に形成されていて、開口部６０ａの横方向の長さｈ４１や、開口部６０ｂの横方向の長さｈ４２や、開口部６０ｃの横方向の長さｈ４３と略同一に形成されている。なお、開口部２２の代わりに切込み（例えば、横方向の直線状の切込みと該切込みの両端から下方に連設された切込みからなる略コ字状の切込み）としてもよい。
【００３０】
また、右側面部３０は、縦長の略台形形状を呈し、上端の辺部が背面部２０側から反対側に向けて斜め下方に直線状に傾斜する傾斜辺部となっている。右側面部３０の背面部２０とは反対側の辺部には、間隔を介して突状部３２と突状部３４と突状部３６が形成され、突状部３２、３４、３６は台形形状（具体的には等脚台形形状）を呈していて、その縦方向の長さは、正面部６０の開口部の縦方向（上下方向）の長さと略同一に形成されている。すなわち、突状部３２の縦方向の幅（最大幅）ｈ１１は、正面部６０の開口部６０ａの縦方向の幅ｈ３１と略同一であり、突状部３４の縦方向の幅（最大幅）ｈ１２は、正面部６０の開口部６０ｂの縦方向の幅ｈ３２と略同一であり、突状部３６の縦方向の幅（最大幅）ｈ１３は、正面部６０の開口部６０ｃの縦方向の幅ｈ３３と略同一でなっていて、各突状部が対応する開口部の右側面側の端部に係止して嵌合するようになっている。
【００３１】
また、突状部３２と突状部３４間の間隔の長さｊ１１は、正面部６０の横部材６８の幅（上下方向の幅）ｊ３１と略同一であり、突状部３４と突状部３６間の間隔の長さｊ１２は、正面部６０の横部材７０の幅（上下方向の幅）ｊ３２と略同一となっている。なお、右側面部３０において、突状部３２、３４、３６以外の部分が本体部となる。
【００３２】
また、右側面部３０の背面部２０とは反対側の辺部の下端には、略縦長長方形状の突状部（突出片部）３８が折れ線を介して連設されている。突状部３８は、突状部３６の下側に隣接して形成されている。この突状部３８は、商品陳列容器５を立体形状に組み立てた状態において、正面部６０の縦部材６２の下端の背面側の面に当接し、右側面部３０の正面部６０に対する固定状態を安定させることができる。
【００３３】
また、左側面部４０は、右側面部３０と対称形状を呈し、第１構成部１０の展開状態において、右側面部３０と線対称の形状となっている。
【００３４】
すなわち、左側面部４０は縦長の略台形形状を呈し、上端の辺部が背面部２０側から反対側に向けて斜め下方に直線状に傾斜する傾斜辺部となっている。左側面部４０の背面部２０とは反対側の辺部には、間隔を介して突状部４２と突状部４４と突状部４６が形成され、突状部４２、４４、４６は台形形状（具体的には等脚台形形状）を呈していて、その縦方向の長さは、正面部６０の開口部の縦方向（上下方向）の長さと略同一に形成されている。すなわち、突状部４２の縦方向の幅（最大幅）ｈ２１は、正面部６０の開口部６０ａの縦方向の幅ｈ３１と略同一であり、突状部４４の縦方向の幅（最大幅）ｈ２２は、正面部６０の開口部６０ｂの縦方向の幅ｈ３２と略同一であり、突状部４６の縦方向の幅（最大幅）ｈ２３は、正面部６０の開口部６０ｃの縦方向の幅ｈ３３と略同一でなっていて、各突状部が対応する開口部の左側面側の端部に係止して嵌合するようになっている。
【００３５】
また、突状部４２と突状部４４間の間隔の長さｊ２１は、正面部６０の横部材６８の幅（上下方向の幅）ｊ３１と略同一であり、突状部４４と突状部４６間の間隔の長さｊ２２は、正面部６０の横部材７０の幅（上下方向の幅）ｊ３２と略同一となっている。なお、左側面部４０において、突状部４２、４４、４６以外の部分が本体部となる。
【００３６】
また、左側面部４０の背面部２０とは反対側の辺部の下端には、略縦長長方形状の突状部（第２突出片部）４８が折れ線を介して連設されている。突状部４８は、突状部４６の下側に隣接して形成されている。この突状部４８は、商品陳列容器５を組み立てた状態において、正面部６０の縦部材６４の下端の背面側の面に当接し、左側面部４０の正面部６０に対する固定状態を安定させることができる。
【００３７】
また、第２構成部５０は、展開状態において、縦長の略長方形状の下端から方形状に突出した形状を呈し、略梯子状の形状を呈する正面部６０と、正面部６０の上端の辺部の両側から折れ線を介して上方に突出した上面部８０、８２と、上面部８０、８２の上端の辺部から折れ線を介して連設された第１背面部（第１背面当接部）９０と、第１背面部９０の下端の辺部から折れ線を介して連設された第２背面部（第２背面当接部）９２と、正面部６０の開口部６０ａ内に横部材６６の下辺から折れ線を介して連設された連結部１００と、連結部１００の横部材６６とは反対側の辺部から折れ線を介して連設された糊代部１０２と、正面部６０の開口部６０ｂ内に横部材６８の下辺から折れ線を介して連設された連結部１１０と、連結部１１０の横部材６８とは反対側の辺部から折れ線を介して連設された糊代部１１２と、正面部６０の開口部６０ｃ内に横部材７０の下辺から折れ線を介して連設された連結部１２０と、連結部１２０の横部材７０とは反対側の辺部から折れ線を介して連設された糊代部１２２と、正面部６０の横部材７２の下辺から折れ線を介して連設された連結部１３０と、連結部１３０の横部材７２とは反対側の辺部から折れ線を介して連設された糊代部１３２とを有している。第２構成部５０は、１枚のシート状のブランク（具体的には、段ボール製（例えば、薄型段ボール製）のブランク）により形成されている。
【００３８】
ここで、正面部６０は、略梯子状を呈し、一対の縦部材６２及び縦部材６４と、一対の縦部材６２と縦部材６４間を連結するように横方向に形成された横部材６６と横部材６８と横部材７０と横部材７２とを有している。
【００３９】
縦部材６２と縦部材６４とは互いに略平行（丁度平行としてもよい）に形成され、縦方向に帯状に形成されている。なお、縦部材６２と縦部材６４の外側の辺部は、円弧状の辺部が繰り返される形状に形成され、いわば切抜き加工された形状となっている。縦部材６２と縦部材６４とは、線対称に形成されている。
【００４０】
また、横部材６６、６８、７０、７２は、横長長方形状を呈し、横部材６６は、一対の縦部材６２、６４の上端領域を連結して形成され、横部材６６の上端の辺部と縦部材６２、６４の上端の辺部とは面一（一直線状）に形成されている。また、横部材７２は、縦部材６２、６４の下端領域よりもやや上側の位置に形成され、縦部材６２、６４は、横部材７２の下辺よりも下方に突出して形成されている。
【００４１】
横部材６６、６８、７０、７２において、縦方向の幅と横方向の幅は同一（略同一としてもよい）に形成されている。つまり、横部材６６の縦方向の幅ｊ３０と、横部材６８の縦方向の幅ｊ３１と、横部材７０の縦方向の幅ｊ３２と、横部材７２の縦方向の幅ｊ３３とは同一（略同一としてもよい）に形成されている。また、上下方向に隣接する横部材間の間隔は同一（略同一としてもよい）に形成されていて、横部材６６と横部材６８間の間隔（＝ｈ３１）と、横部材６８と横部材７０間の間隔（＝ｈ３２）と、横部材７０と横部材７２間の間隔（＝ｈ３３）とは同一（略同一としてもよい）に形成されている。これにより、縦部材６２、６４と横部材６６、６８により囲まれた開口部６０ａと、縦部材６２、６４と横部材６８、７０により囲まれた開口部６０ｂと、縦部材６２、６４と横部材７０、７２により囲まれた開口部６０ｃとは、方形状（具体的には長方形状）に形成され、互いに同大同形状に形成されている。
【００４２】
なお、縦部材６２と縦部材６４間の長さ（＝長さｈ４１、ｈ４２、ｈ４３）は、背面部２０の横方向の長さと略同一（丁度同一としてもよい）となっている。
【００４３】
また、上面部８０は、正面部６０の縦部材６２の上端の辺部から折れ線を介して連設され、略長方形状（略縦長長方形状）に形成されている。なお、上面部８０の右側面側の辺部は円弧状に形成されている。また、上面部８２は、正面部６０の縦部材６４の上端の辺部から折れ線を介して連設され、略長方形状（略縦長長方形状）に形成されている。なお、上面部８２の左側面側の辺部は円弧状に形成されている。上面部８０と上面部８２とは線対称に形成されている。
【００４４】
また、第１背面部９０は、上面部８０の正面部６０とは反対側の辺部と上面部８２の正面部６０とは反対側の辺部から折れ線を介して連設され、全体に略Ｔ字状を呈している。つまり、第１背面部９０は、上面部８０、８２から連設された略長方形状の幅広部９０−１と幅広部９０−１の下端から連設された幅狭部９０−２とを有している。幅狭部９０−２は、長方形状の下端に凹部を形成した形状を呈している。幅広部９０−１の横方向の幅は、上面部８０の上端（正面部６０とは反対側の端部）の右側面側の端部と上面部８２の上端（正面部６０とは反対側の端部）の左側面側の端部間の幅を有し、幅狭部９０−２は、第２構成部５０の展開状態では、上面部８０と上面部８２間に形成され、幅広部９０−１とは反対側の端部には凹部が形成されている。つまり、第１背面部９０と第２背面部９２間に略コ字状の切込みＫ１を形成することにより幅狭部９０−２の下端には凹部が形成されている。上面部８０と上面部８２間の間隔の長さｈ４０は、長さｈ４１と同一（略同一としてもよい）に形成されている。
【００４５】
また、第１背面部９０の上端領域の左右両側には、商品陳列容器５を吊り下げるための紐部材を通すための開口部９０ａ、９０ｂが形成され、商品陳列容器５を立体状態に組み立てた場合に開口部２４ａと開口部９０ａが一致し、開口部２４ｂと開口部９０ｂが一致するようになっている。
【００４６】
また、第２背面部９２は、第１背面部９０の下端の両側の辺部から折れ線（これらの折れ線は切込みＫ１の両側の端部から連設されている）を介して連設され、長方形状の上端と下端が突状である形状を呈している。つまり、第２背面部９２は、切込みＫ１により形成された差込み片部９２ａと、下端から突出して形成された突状部９２ｂとを有している。差込み片部９２ａは、商品陳列容器５を立体形状に組み立てる際に、第１構成部１０の背面部２０の開口部２２に挿通され、突状部９２ｂは、連結部１００と糊代部１０２間に形成された略コ字状の切込みにより形成された穴部に係止して嵌合される。
【００４７】
第１背面部９０の幅狭部９０−２の横方向の幅と第２背面部９２の横方向の幅とは同一（略同一としてもよい）に形成され、長さｈ４０よりも若干小さく形成され、第２構成部５０の展開状態において、幅狭部９０−２及び第２背面部９２と上面部８０間と、幅狭部９０−２及び第２背面部９２と上面部８２間には隙間が形成され、また、第２背面部９２の下端の突状部９２ｂを除く部分と横部材６６間には隙間が形成されている。突状部９２ｂと横部材６６とは切込みにより区画されている。第１背面部９０と第２背面部９２とで「連設部材」が構成される。
【００４８】
また、連結部１００と糊代部１０２は、第２構成部５０の展開状態において、正面部６０の開口部６０ａ内に形成されている。連結部１００は、略方形状（方形状（長方形状）の横部材６６とは反対側に切込みＫ２による凹部が形成された形状）を呈し、糊代部１０２は、連結部１００の横部材６６とは反対側の辺部から折れ線を介して連設され、略方形状（長方形状）を呈している。最上位置連結部としての連結部１００と糊代部１０２の境界位置には、折れ線に沿って切込みＫ２が形成されている。連結部１００と糊代部１０２の横方向の長さは、長さｈ４１よりも若干小さく形成され、連結部１００及び糊代部１０２と縦部材６２間と、連結部１００及び糊代部１０２と縦部材６４間には隙間が形成されている。第２構成部５０の展開状態における連結部１００の縦方向の長さは、糊代部１０２の縦方向の長さよりも長く形成されている。糊代部１０２と横部材６８とは切込みにより区画されている。
【００４９】
連結部１１０と糊代部１１２は、第２構成部５０の展開状態において、正面部６０の開口部６０ｂ内に形成されている。連結部１１０は、方形状（長方形状）を呈し、糊代部１１２は、連結部１１０の横部材６８とは反対側の辺部から折れ線を介して連設され、方形状（長方形状）を呈している。連結部１１０と糊代部１１２の横方向の長さは、長さｈ４２よりも若干小さく形成され、連結部１１０及び糊代部１１２と縦部材６２間と、連結部１１０及び糊代部１１２と縦部材６４間には隙間が形成されている。第２構成部５０の展開状態における連結部１１０の縦方向の長さは、糊代部１１２の縦方向の長さよりも長く形成されている。糊代部１１２と横部材７０とは切込みにより区画されている。
【００５０】
連結部１２０と糊代部１２２は、第２構成部５０の展開状態において、正面部６０の開口部６０ｃ内に形成されている。連結部１２０は、方形状（長方形状）を呈し、糊代部１２２は、連結部１２０の横部材７０とは反対側の辺部から折れ線を介して連設され、方形状（長方形状）を呈している。連結部１２０と糊代部１２２の横方向の長さは、長さｈ４３よりも若干小さく形成され、連結部１２０及び糊代部１２２と縦部材６２間と、連結部１２０及び糊代部１２２と縦部材６４間には隙間が形成されている。第２構成部５０の展開状態における連結部１２０の縦方向の長さは、糊代部１２２の縦方向の長さよりも長く形成されている。糊代部１２２と横部材７２とは切込みにより区画されている。
【００５１】
第２構成部５０の展開状態における連結部１００の縦方向の長さ（横部材６６との境界と糊代部１０２との境界（切込みＫ２の位置を除く境界）間の長さ）と、連結部１１０の縦方向の長さ（横部材６８との境界と糊代部１１２との境界間の長さ）と、連結部１２０の縦方向の長さ（横部材７０との境界と糊代部１２２との境界間の長さ）と、連結部１３０の縦方向の長さ（横部材７２との境界と糊代部１３２との境界間の長さ）とは同一（略同一としてもよい）に形成され、第１構成部１０の右側面部３０における突状部３２、３４、３６を除く部分（本体部）の横方向の長さ（最大長さ）ｈ１４と略同一（丁度同一としてもよい）に形成され、第１構成部１０の左側面部４０における突状部４２、４４、４６を除く部分（本体部）の横方向の長さ（最大長さ）ｈ２４と略同一（丁度同一としてもよい）に形成されている。
【００５２】
また、連結部１３０は、第２構成部５０の展開状態において、横部材７２の下端から折れ線を介して連設され、方形状（長方形状）を呈し、正面部６０の縦部材６２、６４と横部材７２により囲まれた切欠部から突出して形成されている。連結部１３０と縦部材６２、６４とは切込みにより区画されている。また、糊代部１３２は、方形状（長方形状）を呈している。
【００５３】
また、第２構成部５０における糊代部１０２と糊代部１１２と糊代部１２２と糊代部１３２とは、第１構成部１０の背面部２０に接着されている。つまり、図３、図４に示すように、展開状態の第１構成部１０における背面部２０の下端と展開状態の第２構成部５０における糊代部１３２の下端とが一致した状態で、第２構成部５０が第１構成部１０に重ねて接着されている。これにより、商品陳列容器５を立体形状に組み立てる前の状態では、商品陳列容器５は、図３、図４に示すように、扁平状に形成されている。
【００５４】
なお、図６に示すように、横部材６６と連結部１００間の折れ線と、連結部１００と糊代部１０２間の折れ線と、横部材６８と連結部１１０間の折れ線と、連結部１１０と糊代部１１２間の折れ線と、横部材７０と連結部１２０間の折れ線と、連結部１２０と糊代部１２２間の折れ線と、横部材７２と連結部１３０間の折れ線と、連結部１３０と糊代部１３２間の折れ線には、これらの折れ線に沿って間隔を介して切込みを形成して、折曲げを容易としている。
【００５５】
上記構成の扁平状に形成された商品陳列容器５を組み立てる場合の使用状態について説明する。第２構成部５０の正面部６０を第１構成部１０に対して正面側に引き出して、図７に示すように、連結部１００、１１０、１２０、１３０がそれらが連設された糊代部に対して回動して水平になるようにする。
【００５６】
その後、図８に示すように、第１構成部１０の右側面部３０と左側面部４０を背面部２０に対して正面側に折り曲げ、右側面部３０と左側面部４０を背面部２０と略直角になるようにし、右側面部３０と左側面部４０を正面部６０に係止させる。つまり、右側面部３０の突状部３２、３４、３６を対向する開口部の右側面側の端部に係止させるとともに、左側面部４０の突状部４２、４４、４６を対向する開口部の左側面側の端部に係止させる。また、突状部３８は右側面部３０に対して外側に折り曲げられた状態で縦部材６２に当接し、突状部４８は左側面部４０に対して外側に折り曲げられた状態で縦部材６４に当接する。
【００５７】
すなわち、突状部３２を開口部６０ａの右側面側の端部に係止させ、突状部３４を開口部６０ｂの右側面側の端部に係止させ、突状部３６を開口部６０ｃの右側面側の端部に係止させるとともに、突状部４２を開口部６０ａの左側面側の端部に係止させ、突状部４４を開口部６０ｂの左側面側の端部に係止させ、突状部４６を開口部６０ｃの左側面側の端部に係止させる。
【００５８】
その後、上面部８０、８２を正面部６０に対して背面側に折り曲げるとともに、第１背面部９０を上面部８０、８２に対して正面側に折り曲げて、第１背面部９０と第２背面部９２を背面側に移動させ、差込み片部９２ａを開口部２２に挿通するとともに、連結部１００の背面側に切込みＫ２により形成された開口部（第２差込み部）１００ａに突状部９２ｂを係止させる。以上のようにして、図１に示すような立体形状に組み立てられる。商品陳列容器５を立体状態に組み立てたら、開口部２４ａ及び開口部９０ａに商品陳列容器５を吊り下げるための紐部材の一方を挿通して結び目を形成し、また、開口部２４ｂ及び開口部９０ｂに商品陳列容器５を吊り下げるための紐部材の他方を挿通して結び目を形成することにより、商品陳列容器５を吊り下げることができるようにする。
【００５９】
図１に示す立体形状に組み立てた状態においては、正面部６０における一対の縦部材６２、６４と上下方向に隣接する横部材により囲まれた開口部の内側に４つの収納部Ｓ１〜Ｓ４が形成される。収納部Ｓ１は、連結部１００と横部材６６と右側面部３０と左側面部４０と第２背面部９２とにより囲まれて形成され、収納部Ｓ２は、連結部１１０と横部材６８と右側面部３０と左側面部４０と背面部２０とにより囲まれて形成され、収納部Ｓ３は、連結部１２０と横部材７０と右側面部３０と左側面部４０と背面部２０とにより囲まれて形成され、収納部Ｓ４は、連結部１３０と横部材７２と右側面部３０と左側面部４０と背面部２０とにより囲まれて形成されている。
【００６０】
上記収納部Ｓ１〜Ｓ４に商品を収納して陳列することにより、商品陳列容器５を商品陳列容器として使用することができる。商品を陳列する際には、連結部１００、１１０、１２０、１３０に商品を載せて載置する。
【００６１】
また、正面部６０の正面側の領域（特に、縦部材６２、６４の領域）を商品の広告表示領域として使用することができ、商品の宣伝効果を高めることができる。また、第１背面部９０の面も商品の広告表示領域として用いることができる。
【００６２】
また、正面部６０における縦部材６２は右側面部３０から外側（右側面側）に突出し、縦部材６４は左側面部４０から外側（左側面側）に突出しているので、縦部材６２、６４を切抜き加工（カットアウト）することができ、縦部材６２、６４を切抜き加工することにより（特に、縦部材６２の右側面側の端辺を所望の輪郭にすることができ、また、縦部材６４の左側面側の端辺を所望の輪郭とすることにより）縦部材６２、６４を購買者に印象付けることができて、商品の宣伝効果を高めることができる。
【００６３】
また、本実施例の商品陳列容器５によれば、組立てに際して、右側面部３０と左側面部４０を正面部６０に係止させるとともに、差込み片部９２ａを開口部２２に差し込み、突状部９２ｂを連結部１００の背面側に切込みＫ２により形成された開口部に差し込んで係止させるのみで商品陳列容器５を立体形状に組み立てることができるので、商品陳列容器を極めて容易に組み立てることが可能となる。
【００６４】
なお、図１のように立体形状に組み立てた状態の商品陳列容器５を扁平状にするには、上記の操作と逆の操作を行えばよく、差込み片部９２ａの開口部２２への挿通を解除して図８に示す状態とし、その後、右側面部３０と左側面部４０の正面部６０への係止を解除することにより図７に示す状態とし、その後、連結部１００、１１０、１２０をそれらが連設された糊代部に対して回動させて背面部２０と平行になるようにし、正面部６０と背面部２０間の距離を小さくすることにより図３、図４に示すように扁平状とすることができる。
【符号の説明】
【００６５】
５  商品陳列容器
１０  第１構成部
２０  背面部
２２、２４ａ、２４ｂ、６０ａ、６０ｂ、６０ｃ、９０ａ、９０ｂ、１００ａ  開口部
３０  右側面部
３２、３４、３６、３８、４２、４４、４６、４８、９２ｂ  突状部
４０  左側面部
５０  第２構成部
６０  正面部
６２、６４  縦部材
６６、６８、７０、７２  横部材
８０、８２  上面部
９０  第１背面部
９２  第２背面部
９２ａ  差込み片部
１００、１１０、１２０、１３０  連結部
１０２、１１２、１２２、１３２  糊代部
【図１】
0003166302.tif 000003
【図２】
0003166302.tif 000004
【図３】
0003166302.tif 000005
【図４】
0003166302.tif 000006
【図５】
0003166302.tif 000007
【図６】
0003166302.tif 000008
【図７】
0003166302.tif 000009
【図８】
0003166302.tif 000010